(57)【要約】【課題】無線通信装置内の送信回路からの妨害波が、同一筐体内の受信回路に入力される状況においても、消費電力の増大を抑えつつ、高いＳＩＮＲで通信を行うことにより、受信品質の劣化を抑制すること。【解決手段】ゲイン調整部３２０は、セルラー信号の送信電力及び無線ＬＡＮ信号の受信電力と対応付けられる、ＬＮＡ２３０のゲインとＳＩＮＲとの対応関係に基づいて、ＬＮＡ２３０のゲインを調整する。ＳＩＮＲ算出部３２１は、セルラー送信電力情報、及び、無線ＬＡＮ信号の受信電力の情報を用いて、ＬＮＡゲインとＳＩＮＲとの対応関係を算出する。ゲイン設定部３２２は、当該対応関係に基づいて、ＬＮＡ２３０のゲインを調整する。【選択図】図１
2012191533.tif 000002
【特許請求の範囲】
【請求項１】
第１の無線方式で変調された第１変調信号を送信する送信回路と、
第２の無線方式で変調された第２変調信号を増幅する増幅部を有する受信回路と、
前記増幅部が、前記第２変調信号に加え前記第１の変調信号を増幅する場合に、前記第１変調信号の送信電力及び前記第２変調信号の受信電力と対応付けられる、前記増幅部のゲインとＳＩＮＲとの対応関係に基づいて、前記増幅部のゲインを調整する調整部と、
を具備する無線通信装置。
【請求項２】
前記調整部は、
前記第１変調信号の送信電力の情報、及び、前記第２変調信号の受信電力の情報を用いて、前記増幅部のゲインと前記ＳＩＮＲとの対応関係を算出する算出部と、
前記算出部により算出された前記対応関係に基づいて、前記増幅部のゲインを設定する設定部と、を具備する、
請求項１に記載の無線通信装置。
【請求項３】
前記調整部は、
前記第１変調信号の送信電力の情報、及び、前記第２変調信号の受信電力の情報を用いて算出された、前記増幅部のゲインと前記ＳＩＮＲとの対応関係を格納する格納部と、
前記格納部に格納された前記対応関係に基づいて、前記増幅部のゲインを設定する設定部と、を具備する、
請求項１に記載の無線通信装置。
【請求項４】
前記調整部は、
前記第１変調信号の送信電力と、前記第２変調信号の受信電力と、前記第１の無線方式の送信モード、周波数、又は、変調モードと対応付けられる、前記増幅部のゲインと前記ＳＩＮＲとの対応関係に基づいて、前記増幅部のゲインを調整する、
請求項１に記載の無線通信装置。
【請求項５】
前記調整部は、
前記第１の無線方式の送信モード、周波数、又は、変調モードに応じた補正係数を格納する第１の格納部と、
前記第１変調信号の送信電力の情報、前記第２変調信号の受信電力の情報、及び、前記補正係数を用いて、前記増幅部のゲインと前記ＳＩＮＲとの対応関係を算出する算出部と、
前記算出部により算出された前記対応関係に基づいて、前記増幅部のゲインを設定する設定部と、を具備する、
請求項４に記載の無線通信装置。
【請求項６】
前記調整部は、
前記第１変調信号の送信電力の情報と、前記第２変調信号の受信電力の情報と、前記第１の無線方式の送信モード、周波数、又は、変調モードの情報とを用いて算出された、前記増幅部のゲインと前記ＳＩＮＲとの対応関係を格納する第２の格納部と、
前記第２の格納部に格納された前記対応関係に基づいて、前記増幅部のゲインを設定する設定部と、を具備する、
請求項４に記載の無線通信装置。
【請求項７】
前記第１変調信号の送信電力を検出するパワー検出器、を更に具備する、
請求項１に記載の無線通信装置。
【請求項８】
前記送信回路に電源電圧を供給する電池から流れる電流値を測定する電流計、を更に具備し、
前記調整部は、前記電流値を用いて、前記第１変調信号の送信電力を推定する、
請求項１に記載の無線通信装置。
【請求項９】
前記受信回路は、前記増幅部により増幅された前記受信信号をベースバンド信号に変換する変換部、を具備し、
前記無線通信装置は、前記ベースバンド信号に基づいて、前記第２変調信号の受信電力を推定する推定部、を更に具備する、
請求項１に記載の無線通信装置。
【請求項１０】
前記調整部は、前記受信回路が前記第２変調信号のパケットの受信を開始した際に、前記増幅部のゲインを調整する、
請求項１に記載の無線通信装置。
【請求項１１】
前記調整部は、前記受信回路が前記第２変調信号のパケットの受信中であり、前記第１変調信号の送信電力が変動した際に、前記増幅部のゲインを調整する、
請求項１に記載の無線通信装置。
【請求項１２】
第１の無線方式で変調された第１変調信号を送信する送信ステップと、
第２の無線方式で変調された第２変調信号を増幅する増幅ステップ、
前記増幅ステップが、前記第２変調信号に加え前記第１の変調信号を増幅する場合に、前記第１変調信号の送信電力及び前記第２変調信号の受信電力と対応付けられる、前記増幅部のゲインとＳＩＮＲとの対応関係に基づいて、前記増幅部のゲインを設定する設定ステップと、
を具備する受信方法。
【発明の詳細な説明】
【技術分野】
【０００１】
本発明は、１つの筐体で複数の無線方式に対応する無線通信装置及び受信方法に関する。
【背景技術】
【０００２】
近年、「ホットスポット」に代表される無線ＬＡＮを用いたブロードバンド・インターネット接続サービスが普及してきている。当該サービスは、カフェ、ホテル、ファーストフード店、駅又は空港等の外出先に設けられたサービス・エリアでも、インターネットが利用可能となる。そのため、携帯電話機やＰＤＡ（Personal Digital Assistant）等の移動端末は、無線ＬＡＮ機能を搭載することが多くなってきている。
【０００３】
携帯電話機は、無線ＬＡＮ機能を搭載する場合、セルラー送受信機と無線ＬＡＮ送受信機とが１つの端末の中に共存することになる。したがって、セルラー送信機のアンテナから出力されたセルラー信号の一部が、無線ＬＡＮ受信機のアンテナで受信される。そのため、セルラー送信と無線ＬＡＮ受信の同時動作を行おうとすると、セルラー信号が無線ＬＡＮ信号の受信を妨害し、無線ＬＡＮの受信品質が劣化する。
【０００４】
この課題を解決するために、特許文献１には、妨害波レベルに応じて、ＬＮＡ（Low Noise Amplifier）の線形性を制御する無線ＬＡＮ受信機が提案されている。特許文献１の技術は、妨害波レベルに応じて、ＬＮＡの線形性を制御することにより、妨害波入力時の受信品質を改善している。具体的には、特許文献１の技術は、妨害波レベルが高い場合、無線ＬＡＮ受信機のＬＮＡの電源電圧を高く設定する。これにより、特許文献１の技術は、ＬＮＡの線形性を改善し、妨害波入力時のＳＩＮＲ（Signal to Interference plus Noise Ratio：信号対干渉雑音比）を改善している。
【０００５】
また、特許文献２には、セルラーシステムとＧＰＳ（Global Positioning System）システムとが共存する端末が開示されている。特に、２つのシステムが共存する端末では、セルラー信号レベルが規定値を超えた場合に、ＧＰＳ処理を停止させる受信回路が開示されている。具体的には、特許文献２の技術は、妨害報知信号を受信している期間、ＧＰＳ処理を停止させることにより、セルラー信号（妨害波）によって、突然位置情報が失われたり、復帰に時間がかかったりすることを回避している。
【先行技術文献】
【特許文献】
【０００６】
【特許文献１】特開２００８−１９３４４２号公報
【特許文献２】特開２００６−１２１４２７号公報
【発明の概要】
【発明が解決しようとする課題】
【０００７】
しかしながら、特許文献１の技術は、所望波電力と妨害波電力との差を算出し、その差に応じてＬＮＡの電流を制御することにより、ＬＮＡの線形性を制御する。そして、特許文献１の技術は、妨害波入力時に、ＬＮＡを線形動作させるようにＬＮＡの電流を制御して、妨害波入力時の受信品質を向上させている。具体的には、特許文献１の技術は、ＬＮＡの電源電圧を上げて、ＬＮＡを線形動作させる。そのため、特許文献１の技術は、妨害波入力時に、消費電力が増加するという課題があった。また、特許文献２の技術は、セルラー信号（妨害波）が存在する場合、ＧＰＳの誤動作を回避するために、ＧＰＳ処理を停止する。そのため、セルラーシステムと無線ＬＡＮシステムとに対応する端末に、特許文献２の技術をそのまま適用すると、無線ＬＡＮ処理を停止する期間、情報が欠落し、受信品質が劣化するという課題があった。
【０００８】
本発明の目的は、無線通信装置内の送信回路からの妨害波が、同一筐体内の受信回路に入力される状況においても、消費電力の増大を抑えつつ、高いＳＩＮＲで通信を行うことにより、受信品質の劣化を抑制することである。
【課題を解決するための手段】
【０００９】
本発明の無線通信装置は、第１の無線方式で変調された第１変調信号を送信する送信回路と、第２の無線方式で変調された第２変調信号を増幅する増幅部を有する受信回路と、前記増幅部が、前記第２変調信号に加え前記第１の変調信号を増幅する場合に、前記第１変調信号の送信電力及び前記第２変調信号の受信電力と対応付けられる、前記増幅部のゲインとＳＩＮＲとの対応関係に基づいて、前記増幅部のゲインを調整する調整部と、を具備する。
【００１０】
本発明の受信方法は、第１の無線方式で変調された第１変調信号を送信する送信ステップと、第２の無線方式で変調された第２変調信号を増幅する増幅ステップ、前記増幅ステップが、前記第２変調信号に加え前記第１の変調信号を増幅する場合に、前記第１変調信号の送信電力及び前記第２変調信号の受信電力と対応付けられる、前記増幅部のゲインとＳＩＮＲとの対応関係に基づいて、前記増幅部のゲインを設定する設定ステップと、を具備する。
【発明の効果】
【００１１】
本発明によれば、無線通信装置内の送信回路からの妨害波が、同一筐体内の受信回路に入力される状況においても、消費電力の増大を抑えつつ、高いＳＩＮＲで通信を行うことにより、受信品質の劣化を抑制することである。
【図面の簡単な説明】
【００１２】
【図１】本発明の実施の形態１に係る無線通信装置の構成の一例を示すブロック図
【図２】セルラー妨害波が存在しない場合のＬＮＡゲインとＳＩＮＲとの関係の一例を示す図
【図３】セルラー妨害波が存在する場合のＬＮＡゲインとＳＩＮＲとの関係の一例を示した図
【図４】実施の形態１におけるＬＮＡゲインの調整処理を示すフローチャート
【図５】実施の形態１における開始時調整及び受信中調整を行うタイミングを説明するための図
【図６】実施の形態１に係る無線通信装置の構成の別の一例を示すブロック図
【図７】実施の形態１に係る無線通信装置の構成の更に別の一例を示すブロック図
【図８】実施の形態１に係る無線通信装置の構成の更に別の一例を示すブロック図
【図９】実施の形態１に係る無線通信装置の構成の更に別の一例を示すブロック図
【図１０】実施の形態１に係る無線通信装置の構成の更に別の一例を示すブロック図
【図１１】実施の形態１に係る無線通信装置の構成の更に別の一例を示すブロック図
【図１２】ゲイン設定部が格納するＬＵＴの一例を示す図
【図１３】本発明の実施の形態２に係る無線通信装置の構成の一例を示すブロック図
【図１４】ＬＵＴ格納部が格納するＬＵＴの一例を示す図
【図１５】実施の形態２におけるＬＮＡゲインの調整処理を示すフローチャート
【図１６】実施の形態２に係る無線通信装置の構成の別の一例を示すブロック図
【図１７】実施の形態２に係る無線通信装置の構成の更に別の一例を示すブロック図
【図１８】本発明の実施の形態３に係る無線通信装置の構成の一例を示すブロック図
【図１９】本発明の実施の形態４に係る無線通信装置の構成の一例を示すブロック図
【発明を実施するための形態】
【００１３】
以下、本発明の実施の形態について、図面を参照して詳細に説明する。
【００１４】
（実施の形態１）
図１は、本発明の実施の形態に係る無線通信装置の構成の一例を示すブロック図である。なお、説明が煩雑になることを避けるために、図１は、本発明と密接に関連する無線ＬＡＮ信号の受信、及び、セルラー信号の送信に係わる構成部を示す。そのため、図１は、無線ＬＡＮ信号の送信、及び、セルラー信号の受信に係わる構成部の図示及び説明を省略する。
【００１５】
図１の無線通信装置１００は、無線ＬＡＮ受信回路２００、セルラー送信回路４００、所望波レベル推定部３１０、ゲイン調整部３２０を有する。
【００１６】
無線ＬＡＮ受信回路２００は、無線ＬＡＮ信号を受信し、復調する。
【００１７】
無線ＬＡＮ受信回路２００は、アンテナ２１０、ＢＰＦ（Band Pass Filter）２２０、ＬＮＡ２３０、直交変換部２４０、ＡＤＣ（Analog to Digital Convertor）２５０、及び信号処理部２６０を有する。
【００１８】
アンテナ２１０は、無線ＬＡＮ信号を受信する。
【００１９】
ＢＰＦ２２０は、アンテナ２１０により受信された無線ＬＡＮ信号に対して、帯域制限を行い、帯域制限後の無線ＬＡＮ信号をＬＮＡ２３０に出力する。
【００２０】
ＬＮＡ２３０は、後述するゲイン調整部３２０により決定されるＬＮＡゲインに応じて、無線ＬＡＮ信号を増幅し、増幅後の無線ＬＡＮ信号をミキサ２４２に出力する。
【００２１】
直交変換部２４０は、局部発振器２４１、ミキサ２４２、及びアナログベースバンド回路２４３を有する。
【００２２】
局部発振器２４１は、局部発振信号を生成し、局部発振信号をミキサ２４２に出力する。
【００２３】
ミキサ２４２は、無線ＬＡＮ信号と局部発振信号とを掛け合わせ、無線ＬＡＮ信号をベースバンド信号にダウンコンバートする。そして、ミキサ２４２は、ベースバンド信号を、アナログベースバンド回路２４３に出力する。
【００２４】
アナログベースバンド回路２４３は、ベースバンド信号に対して、増幅及び帯域制限処理を行い、増幅及び帯域制限後のベースバンド信号をＡＤＣ２５０に出力する。
【００２５】
ＡＤＣ２５０は、ベースバンド信号をアナログ信号からデジタル信号に変換し、デジタル信号を信号処理部２６０及び所望波レベル推定部３１０に出力する。
【００２６】
信号処理部２６０は、デジタル信号に対して復調処理を行い、受信データ系列を得る。
【００２７】
セルラー送信回路４００は、セルラーシステム用の送信データ系列を変調し、セルラー信号を送信する。
【００２８】
セルラー送信回路４００は、信号処理部４１０、ＤＡＣ（Digital to Analog Convertor）４２０、アナログベースバンド回路４３０、ＲＦ（Radio Frequency）信号生成回路４４０、及びアンテナ４５０を有する。
【００２９】
信号処理部４１０は、送信データをデジタル変調し、デジタル変調信号をＤＡＣ４２０に出力する。また、信号処理部４１０は、セルラー信号の送信電力の情報（以下、セルラー送信電力情報、という）を、ゲイン調整部３２０に出力する。
【００３０】
ＤＡＣ４２０は、デジタル変調信号をアナログ信号に変換し、アナログ信号をアナログベースバンド回路４３０に出力する。
【００３１】
アナログベースバンド回路４３０は、アナログ信号に対して、帯域制限及び増幅処理を行い、帯域制限及び増幅後のアナログ信号をＲＦ信号生成回路４４０に出力する。
【００３２】
ＲＦ信号生成回路４４０は、アナログ信号に対して、周波数変換及び増幅処理を行い、ＲＦ信号を生成し、ＲＦ信号をアンテナ４５０に出力する。
【００３３】
アンテナ４５０は、ＲＦ信号を、セルラー信号として送信する。
【００３４】
所望波レベル推定部３１０は、ＡＤＣ２５０から出力されるデジタル信号、及び、回路パラメータに基づいて、所望波レベル、すなわち、無線ＬＡＮ信号の受信電力を推定する。ここで、回路パラメータは、ＢＰＦ２２０の挿入損失、ＬＮＡ２３０のゲイン、ミキサ２４２の変換ゲイン、アナログベースバンド回路２４３のゲイン、ＡＤＣ２５０の変換特性、及び、伝送線路の損失等である。所望波レベル推定部３１０は、推定した所望波レベルの情報をゲイン調整部３２０に出力する。
【００３５】
ゲイン調整部３２０は、ＳＩＮＲ算出部３２１と、ゲイン設定部３２２とを有する。
【００３６】
ＳＩＮＲ算出部３２１には、所望波レベル推定部３１０から所望波レベルの情報が入力される。また、ＳＩＮＲ算出部３２１には、信号処理部４１０からセルラー送信電力情報が入力される。ＳＩＮＲ算出部３２１は、所望波レベルの情報と、セルラー送信電力情報とに基づいて、ＬＮＡゲインとＳＩＮＲとの対応関係を算出する。当該対応関係の算出方法については、後述する。
【００３７】
ゲイン設定部３２２は、ＳＩＮＲ算出部３２１により算出された、ＬＮＡゲインとＳＩＮＲとの対応関係に基づいて、ＬＮＡゲインを設定し、設定したＬＮＡゲインの情報をＬＮＡ２３０に出力する。ＬＮＡゲインの設定方法については、後述する。
【００３８】
以上のような構成を採る無線通信装置１００は、１つの筐体に、無線ＬＡＮ受信回路２００とセルラー送信回路４００とを有する。そのため、無線ＬＡＮ受信回路２００とセルラー送信回路４００とが同時動作する場合、アンテナ４５０から送信されたセルラー信号の一部は、アンテナ２１０で受信される。
【００３９】
アンテナ２１０で受信されるセルラー信号の信号成分は、セルラー妨害波と定義される。セルラー妨害波は、ＢＰＦ２２０により減衰される。しかし、高レベルのセルラー妨害波は、ＢＰＦ２２０では十分に減衰されず、アンテナ２１０が同時に受信する無線ＬＡＮ信号の復調性能（受信品質）に悪影響を与える。具体的には、アナログベースバンド回路２４３から出力されるベースバンド信号のＳＩＮＲが低下し、その結果、復調後のエラーレートが上昇し、受信品質が劣化する。
【００４０】
セルラー妨害波が存在する場合の、アナログベースバンド回路２４３から出力されるベースバンド信号のＳＩＮＲは、例えば、下記の式で計算できる。
【００４１】
【数１】
2012191533.tif 000003
Ｓ：所望波電力
ＰＤ：ＬＮＡ２３０に入力される所望波レベル（無線ＬＡＮ信号レベル）
ＧＬ：ＬＮＡ２３０のゲイン
ＧＭ：ミキサ２４２の変換ゲイン
ＧＡＢＢ：アナログベースバンド回路２４３のゲイン
Ｉ：妨害波歪み
ＰＣ：ＬＮＡ２３０に入力されるセルラー妨害波レベル
ＩＩＰ２ＭＩＸ：ミキサ２４２のＩＩＰ２（Second order Input Intercept Point）
α：２トーン信号による２次歪みレベルから変調波による２次歪みレベルへの変換係数
ＮＦＬ：ＬＮＡ２３０のＮＦ（Noise Figure）
ＮＦＭ：ミキサ２４２のＮＦ
ＮＦＡＢＢ：アナログベースバンド回路２４３のＮＦ
ｋ：ボルツマン定数
Ｔ：絶対温度
Ｂ：帯域幅
Ｎ：雑音電力
【００４２】
なお、変換係数αは、シミュレーション等により、算出される。また、セルラー妨害波レベルＰＣは、セルラー送信電力情報、アンテナ２１０とアンテナ４５０の結合係数、アンテナ２１０からＬＮＡ２３０の入力端子までの損失等の既知情報により、算出される。
【００４３】
ここで、本発明者らは、セルラー妨害波の有無とＬＮＡゲインに対するＳＩＮＲの変化の違いについて、着目した。
【００４４】
図２は、セルラー妨害波が存在しない場合のＬＮＡゲインに対するＳＩＮＲの変化の一例を示す。図２から分かるように、セルラー妨害波が存在しない場合、ＳＩＮＲは、ＬＡＮゲインの大きさと比例関係にあり、ＬＮＡゲインが大きいほど、ＳＩＮＲは高い。
【００４５】
図３は、強いセルラー妨害波が存在する場合のＬＮＡゲインに対するＳＩＮＲの変化の一例を示す。図３から分かるように、セルラー妨害波が存在する場合、ＳＩＮＲは、ＬＮＡゲインの大きさと比例関係になく、図３の例では、ＬＮＡゲインがほぼ１５ｄＢの場合、ＳＩＮＲが最も高くなることが分かる。
【００４６】
一般に、所望波電力Ｓは、ＬＮＡゲインＧＬに比例し、妨害波歪みＩは、ＬＮＡゲインＧＬの２乗に比例する。また、雑音電力Ｎは、ＬＮＡゲインＧＬに関わらず、ほぼ一定である。そのため、ＳＩＮＲは、ＬＮＡゲインＧＬによって変動する。そのため、セルラー妨害波が存在する場合は、所望波レベルＰＤ及びセルラー妨害波レベルＰＣによって、ＳＩＮＲを最大化するためのＬＮＡゲインＧＬが異なる。
【００４７】
そこで、本実施の形態におけるゲイン調整部３２０は、所望波レベルＰＤ、セルラー妨害波レベルＰＣ、及び、ＬＮＡゲインＧＬをパラメータに含む式（１−１）〜（１−５）に基づいて、最適なＬＮＡゲインＧＬを設定する。
【００４８】
具体的には、ゲイン調整部３２０は、式（１−１）〜（１−５）に基づいて、ＬＮＡゲインＧＬとＳＩＮＲとの対応関係を導出する。そして、ゲイン調整部３２０は、ＳＩＮＲを最大化するＬＮＡゲインＧＬを探索する。このようにして、ゲイン調整部３２０が、適応的にＬＮＡゲインＧＬを調整することにより、無線通信装置１００は、ＳＩＮＲの最大化を図り、エラーレートを低減し、受信品質の劣化を抑制する。このとき、本実施の形態は、ＬＮＡ２３０を必ずしも線形動作させるわけではない。このため、無線通信装置１００は、消費電力の増加を抑えつつ、高いＳＩＮＲで通信を行うことができるので、受信品質の劣化を抑制することができる。
【００４９】
次に、ゲイン調整部３２０におけるＬＮＡゲインの調整方法について説明する。
【００５０】
ゲイン調整部３２０は、２種類のＬＮＡゲイン調整、具体的には、無線ＬＡＮ信号のパケット受信開始時に行う開始時調整と、パケット受信中に行う受信中調整とを行う。
【００５１】
図４は、本実施の形態におけるＬＮＡゲインの調整処理を示すフローチャートである。
【００５２】
まず、所望波レベル推定部３１０は、無線ＬＡＮ信号の所望波レベルＰＤを算出する（ステップＳ１０１）。
【００５３】
ＳＩＮＲ算出部３２１は、セルラー送信電力情報を取得する（ステップＳ１０２）。
【００５４】
次に、ＳＩＮＲ算出部３２１は、パケット受信開始時か否か判定する（ステップＳ１０３）。
【００５５】
パケット受信開始時の場合（ステップＳ１０３：ＹＥＳ）、ＳＩＮＲ算出部３２１は、ステップＳ１０５に進む。一方、パケット受信開始時でない場合（ステップＳ１０３：ＮＯ）、ＳＩＮＲ算出部３２１は、セルラー送信電力情報が更新されたか否か判定する（ステップＳ１０４）。
【００５６】
セルラー送信電力情報が更新された場合（ステップＳ１０４：ＹＥＳ）、ＳＩＮＲ算出部３２１は、ステップＳ１０５に進む。一方、セルラー送信電力情報の更新がない場合（ステップＳ１０４：ＮＯ）、ＳＩＮＲ算出部３２１は、ステップＳ１０６に進む。
【００５７】
ステップＳ１０５において、ＳＩＮＲ算出部３２１は、セルラー送信電力情報に基づいて、アンテナ２１０を介してＬＮＡ２３０に入力されるセルラー妨害波レベルＰＣを算出する。
【００５８】
ステップＳ１０６において、ＳＩＮＲ算出部３２１は、式（１−１）〜（１−５）を用いて、ＬＮＡゲインとＳＩＮＲとの対応関係を算出する。
【００５９】
そして、ステップＳ１０７において、ゲイン設定部３２２は、ＬＮＡゲインとＳＩＮＲとの対応関係に基づいて、ＳＩＮＲを最大化するＬＮＡゲインＧＬ＿ｏｐｔを算出する。
【００６０】
ＧＬ＿ｏｐｔが、ＬＮＡ２３０の最大設定可能ゲインＧＬ＿ｍａｘより大きい場合（ステップＳ１０８：ＹＥＳ）、ゲイン設定部３２２は、ＧＬ＿ｏｐｔを、ＧＬ＿ｏｐｔ＝ＧＬ＿ｍａｘにする（ステップＳ１０９）。
【００６１】
また、ＧＬ＿ｏｐｔが、ＬＮＡ２３０の最小設定可能ゲインＧＬ＿ｍｉｎより小さい場合（ステップＳ１１０：ＹＥＳ）、ゲイン設定部３２２は、ＧＬ＿ｏｐｔを、ＧＬ＿ｏｐｔ＝ＧＬ＿ｍｉｎにする（ステップＳ１１１）。
【００６２】
最後に、ゲイン設定部３２２は、ＬＮＡ２３０のゲインＧＬをＧＬ＿ｏｐｔに設定する（ステップＳ１１２）。
【００６３】
図５は、開始時調整及び受信中調整を行うタイミングを説明するための図である。
【００６４】
無線ＬＡＮパケットの受信が開始されると同時に、開始時調整が実施される。開始時調整では、所望波レベルＰＤ、セルラー妨害波レベルＰＣ、及び、ＳＩＮＲが算出される。そして、最適なＬＮＡゲインが探索され、設定される。この開始時調整は、無線ＬＡＮパケットのプリアンブル部分の受信が終了するまでに、完了することが望ましい。
【００６５】
また、伝搬路状況が変動する場合には、この開始時調整は、全ての無線ＬＡＮパケットの受信開始時に行われることが望ましい。しかし、伝搬路状況の変動が少ない場合には、必ずしも全ての無線ＬＡＮパケットの受信開始時に、開始時調整が実施されなくても、本発明の効果が得られる。
【００６６】
開始時調整完了後、該当無線ＬＡＮパケットの受信完了までの間に、セルラー送信電力が変化した場合、受信中調整が実施される。セルラー送信電力が変化した場合、信号処理部４１０から、変化後のセルラー送信電力情報が入力される。そして、変換後のセルラー送信電力情報に応じて、セルラー妨害波レベルＰＣ及びＳＩＮＲが再度算出される。そして、再度算出されたＳＩＮＲに基づいて、最適なＬＮＡゲインが探索され、設定される。
【００６７】
無線ＬＡＮパケットの受信完了までの間に、セルラー送信電力が変化する場合は、ゲイン調整部３２０が、開始時調整に加えて受信中調整を実施することにより、最適なＬＮＡゲインに設定できる。しかし、無線ＬＡＮパケットの受信完了までの間のセルラー送信電力の変動量が少ない場合、ゲイン調整部３２０が、受信中調整を行わなくても、無線通信装置１００は、本発明の効果を得ることができる。
【００６８】
なお、ＬＮＡゲインの調整サイズは、実際には、有限値である。そのため、ゲイン調整部３２０は、調整サイズを考慮して、式（１−１）〜（１−５）から算出される最適なＬＮＡゲインに最も近いＬＮＡゲインを、ＧＬ＿ＯＰＴとして設定する。
【００６９】
以上のように、本実施の形態に係る無線通信装置１００において、ゲイン調整部３２０は、ＬＮＡ２３０のゲインを調整する。具体的には、ゲイン調整部３２０は、セルラー信号の送信電力及び無線ＬＡＮ信号の受信電力と対応付けられる、ＬＮＡ２３０のゲインとＳＩＮＲとの対応関係に基づいて、ＬＮＡ２３０のゲインを調整する。ＳＩＮＲ算出部３２１は、セルラー送信電力情報、及び、無線ＬＡＮ信号の受信電力の情報を用いて、ＬＮＡゲインとＳＩＮＲとの対応関係を算出する。ゲイン設定部３２２は、当該対応関係に基づいて、ＬＮＡ２３０のゲインを調整する。このとき、ＬＮＡ２３０が非線形動作する場合、ゲイン調整部３２０が、上述のようにＬＮＡ２３０のゲインを調整することにより、無線通信装置１００は、消費電力の増加を抑えつつ、高いＳＩＮＲで通信を行うことができる。これにより、無線通信装置１００は、受信品質の劣化を抑制することができる。
【００７０】
なお、図６は、本実施の形態に係る無線通信装置の構成の別の一例を示すブロック図である。なお、図６において、図１と共通する構成部分には、図１と同一の符号を付して説明を省略する。図６の無線通信装置１００Ａは、図１の無線通信装置１００に対して、無線ＬＡＮ受信回路２００及びゲイン調整部３２０に代えて、無線ＬＡＮ受信回路２００Ａ及びゲイン調整部３２０Ａを有する。
【００７１】
ゲイン設定部３２２Ａは、ＬＮＡ２３０のゲインの変化に応じて、アナログベースバンド回路２４３Ａの増幅率を制御する。アナログベースバンド回路２４３Ａは、ゲイン設定部３２２Ａにより制御される増幅率に応じて、ベースバンド信号を増幅する。これにより、ＡＤＣ２５０に入力されるベースバンド信号のレベルを最適化することができる。
【００７２】
また、図７〜図９は、本実施の形態に係る無線通信装置の構成の更に別の一例を示すブロック図である。図７〜図９において、図１と共通する構成部分には、図１と同一の符号を付して説明を省略する。
【００７３】
図７の無線通信装置１００Ｂは、図１の無線通信装置１００に対して、無線ＬＡＮ受信回路２００及びゲイン調整部３２０に代えて、無線ＬＡＮ受信回路２００Ｂ及びゲイン調整部３２０Ｂを備える。また、図７の無線通信装置１００Ｂは、図１の無線通信装置１００に対して、所望波レベル推定部３１０を削除した構成を採る。
【００７４】
無線ＬＡＮ受信回路２００Ｂは、ＬＮＡ２３０の前段に電力検出回路２７０を有する。図７の電力検出回路２７０は、帯域制限後の無線ＬＡＮ信号の受信電力を検出し、検出結果をＳＩＮＲ算出部３２１Ｂに出力する。
【００７５】
また、図８の無線通信装置１００Ｃは、図１の無線通信装置１００に対して、無線ＬＡＮ受信回路２００及びゲイン調整部３２０に代えて、無線ＬＡＮ受信回路２００Ｃ及びゲイン調整部３２０Ｃを備える。また、図８の無線通信装置１００Ｃは、図１の無線通信装置１００に対して、所望波レベル推定部３１０を削除した構成を採る。
【００７６】
無線ＬＡＮ受信回路２００Ｃは、ＬＮＡ２３０の後段に電力検出回路２７０を有する。図８の電力検出回路２７０は、増幅後の無線ＬＡＮ信号の受信電力を検出し、検出結果をＳＩＮＲ算出部３２１Ｃに出力する。
【００７７】
また、図９の無線通信装置１００Ｄは、図１の無線通信装置１００に対して、無線ＬＡＮ受信回路２００及びゲイン調整部３２０に代えて、無線ＬＡＮ受信回路２００Ｄ及びゲイン調整部３２０Ｄを備える。また、図９の無線通信装置１００Ｄは、図１の無線通信装置１００に対して、所望波レベル推定部３１０を削除した構成を採る。
【００７８】
無線ＬＡＮ受信回路２００Ｄは、アナログベースバンド回路２４３Ｄ内に電力検出回路２７０を有する。図９の電力検出回路２７０は、増幅後の無線ＬＡＮ信号の受信電力を検出し、検出結果をＳＩＮＲ算出部３２１Ｄに出力する。
【００７９】
そして、図７〜図９のＳＩＮＲ算出部３２１Ｂ、３２１Ｃ、３２１Ｄは、検出結果を利用して、所望波レベルＰＤを算出し、当該所望波レベルＰＤを用いて、ＬＮＡゲインとＳＩＮＲとの対応関係を算出する。これにより、無線通信装置１００Ｂ、１００Ｃ、１００Ｄは、ＬＮＡゲイン調整完了までの時間を短縮することができる。
【００８０】
また、図１０は、本実施の形態に係る無線通信装置の構成の更に別の一例を示すブロック図である。図１０において、図１と共通する構成部分には、図１と同一の符号を付して説明を省略する。図１０の無線通信装置１００Ｅは、図１の無線通信装置１００に対して、ゲイン調整部３２０に代えて、ゲイン調整部３２０Ｅを有し、所望波レベル推定部３１０を削除した構成を採る。
【００８１】
ゲイン調整部３２０Ｅは、ＳＩＮＲ算出部３２１Ｅ及びゲイン設定部３２２を有する。
【００８２】
ＳＩＮＲ算出部３２１Ｅは、所望波レベルＰＤとして、予め設定された値を用いて、妨害波レベルＰＣの変化にのみ基づいて、ＬＮＡゲインとＳＩＮＲとの対応関係を算出する。無線通信装置１００Ｅは、所望波レベルが変動しない伝搬路状況での使用が想定される場合に好適である。
【００８３】
また、図１１は、本実施の形態に係る無線通信装置の構成の更に別の一例を示すブロック図である。図１１において、図１と共通する構成部分には、図１と同一の符号を付して説明を省略する。図１１の無線通信装置１００Ｆは、図１の無線通信装置１００に対して、ゲイン調整部３２０に代えて、ゲイン調整部３２０Ｆを有する。
【００８４】
ゲイン調整部３２０Ｆは、ＬＵＴ格納部３２３及びゲイン設定部３２２Ｆを有する。
【００８５】
ＬＵＴ格納部３２３は、予め、式（１−１）〜（１−５）を用いて算出された、ＬＮＡゲインとＳＩＮＲとが対応付けられたＬＵＴを格納する。
【００８６】
図１２は、ＬＵＴ格納部３２３が格納するＬＵＴの一例を示す。図１２に示すように、ＬＵＴ格納部３２３は、所望波レベルＰＤ及び妨害波レベルＰＣごとに、ＬＮＡゲインとＳＩＮＲとの対応関係を格納している。ＬＵＴ格納部３２３は、所望波レベルＰＤ及び妨害波レベルＰＣに応じた対応関係を、ゲイン設定部３２２Ｆに提供する。
【００８７】
そして、ゲイン設定部３２２Ｆは、当該対応関係から、ＳＩＮＲが良好なＬＮＡゲインを決定する。
【００８８】
このようにして、無線通信装置１００Ｆにおいて、ＬＵＴ格納部３２３は、所望波レベルＰＤ及び妨害波レベルＰＣごとに、ＬＮＡゲインとＳＩＮＲとの対応関係を格納する。そのため、無線通信装置１００Ｆは、当該対応関係を算出するのに要する時間を省くことができるので、ＬＮＡゲイン調整完了までの時間を短縮することができる。
【００８９】
（実施の形態２）
図１３は、本発明の実施の形態に係る無線通信装置の構成の一例を示すブロック図である。なお、図１３において、図１と共通する構成部分には、図１と同一の符号を付して説明を省略する。図１３の無線通信装置５００は、図１の無線通信装置１００に対して、セルラー送信回路４００及びゲイン調整部３２０に代えて、セルラー送信回路４００Ａ及びゲイン調整部５１０を有する。
【００９０】
セルラー送信回路４００Ａは、セルラー送信回路４００に対して、信号処理部４１０に代えて、信号処理部４１０Ａを有する。
【００９１】
信号処理部４１０Ａは、送信データをデジタル変調し、デジタル変調信号をＤＡＣ４２０に出力する。また、信号処理部４１０Ａは、セルラー送信電力情報に加えて、送信モード情報、周波数情報、変調モードの情報を含む情報（以下、セルラー送信信号情報、という）を、ゲイン調整部５１０に出力する。
【００９２】
ゲイン調整部５１０は、ＬＵＴ格納部５１１、ＳＩＮＲ算出部５１２及びゲイン設定部３２２を有する。
【００９３】
ＬＵＴ格納部５１１には、信号処理部４１０Ａからセルラー送信信号情報が入力される。ＬＵＴ格納部５１１は、セルラー送信信号情報に対応する補正係数βを、ＳＩＮＲ算出部５１２に出力する。ここで、補正係数βは、セルラー送信電力、送信モード、周波数、及び、変調モードによって決まる係数である。補正係数βについては、後述する。
【００９４】
ＳＩＮＲ算出部５１２には、所望波レベル推定部３１０から所望波レベルの情報が入力される。また、ＳＩＮＲ算出部５１２には、信号処理部４１０Ａからセルラー送信信号情報が入力される。ＳＩＮＲ算出部５１２は、式（２−１）〜（２−５）に基づいて、ＬＮＡゲインＧＬとＳＩＮＲとの対応関係を導出する。
【００９５】
【数２】
2012191533.tif 000004
Ｓ：所望波電力
ＰＤ：ＬＮＡ２３０に入力される所望波レベル（無線ＬＡＮ信号レベル）
ＧＬ：ＬＮＡ２３０のゲイン
ＧＭ：ミキサ２４２の変換ゲイン
ＧＡＢＢ：アナログベースバンド回路２４３のゲイン
Ｉ：妨害波歪み
ＰＣ：ＬＮＡ２３０に入力されるセルラー妨害波レベル
ＩＩＰ２ＭＩＸ：ミキサ２４２のＩＩＰ２（Second order Input Intercept Point）
α：２トーン信号による２次歪みレベルから変調波による２次歪みレベルへの変換係数
ＮＦＬ：ＬＮＡ２３０のＮＦ（Noise Figure）
ＮＦＭ：ミキサ２４２のＮＦ
ＮＦＡＢＢ：アナログベースバンド回路２４３のＮＦ
ｋ：ボルツマン定数
Ｔ：絶対温度
Ｂ：帯域幅
Ｎ：雑音電力
【００９６】
なお、変換係数αは、シミュレーション等により、算出される。また、所望波レベルＰＣは、セルラー送信電力情報、アンテナ２１０とアンテナ４５０の結合係数、アンテナ２１０からＬＮＡ２３０の入力端子までの損失等の既知情報により、算出される。また、補正係数βは、ＬＵＴ格納部５１１が格納するＬＵＴから取得される。
【００９７】
図１４は、ＬＵＴ格納部５１１が格納するＬＵＴの一例を示す。図１４Ａは、送信モード１用のＬＵＴであり、図１４Ｂは、送信モード２用のＬＵＴである。このように、ＬＵＴ格納部５１１には、送信モードごとに、送信周波数と変調モードとから、補正係数βの値が決まるテーブルが用意されている。ここで、送信モードは、ＧＳＭ（Global System for Mobile communications）、または、Ｗ−ＣＤＭＡ（Wideband Code Division Multiple Access）等、無線規格を示す。また、変調モードは、例えば、ＧＳＭにおけるＧＭＳＫ（Gaussian filtered Minimum Shift Keying）モード、または、ＥＤＧＥ（Enhanced Data GSM Environment）モード等、変調方式を示す。
【００９８】
なお、図１４Ａ及び図１４ＢのＬＵＴは、一例であり、最適な補正係数βが得られるのであれば、ＬＵＴのサイズや項目数は、異なってもよい。また、単純に、周波数と閾値との比較によって、最適な補正係数βが得られる場合、無線通信装置５００は、ＬＵＴ格納部５１１を削除した構成としてもよい。
【００９９】
このようにして、ゲイン調整部５１０は、式（２−１）〜（２−５）に基づいて、ＬＮＡゲインＧＬとＳＩＮＲとの対応関係を導出する。そして、ゲイン調整部５１０は、ＳＩＮＲを最大化するＬＮＡゲインＧＬを探索する。ゲイン調整部５１０が、適応的にＬＮＡゲインＧＬを調整することにより、無線通信装置５００は、ＳＩＮＲの最大化を図り、エラーレートを低減し、受信品質の劣化を抑制する。このとき、本実施の形態は、ＬＮＡ２３０を必ずしも線形動作させるわけではないので、無線通信装置５００は、消費電力の増加を抑えつつ、受信品質の劣化を抑制することができる。
【０１００】
次に、ゲイン調整部５１０におけるＬＮＡゲインの調整方法について説明する。
【０１０１】
ゲイン調整部５１０は、ゲイン調整部３２０と同様に、２種類のＬＮＡゲイン調整、具体的には、無線ＬＡＮ信号受信時のパケット受信開始時に行う開始時調整と、パケット受信中に行う受信中調整とを行う。
【０１０２】
図１５は、本実施の形態におけるＬＮＡゲインの調整処理を示すフローチャートである。なお、図１５のステップにおいて、図４と共通のステップについては、同一の符号を付して、説明を省略する。
【０１０３】
ステップＳ２０１において、ＳＩＮＲ算出部５１２は、セルラー送信信号情報を取得する。ＳＩＮＲ算出部５１２は、セルラー送信信号情報を取得すると、ステップＳ１０３に進む。
【０１０４】
また、ステップＳ２０２において、ＳＩＮＲ算出部５１２は、セルラー送信信号情報が更新されたか否か判定する。セルラー送信信号情報が更新された場合（ステップＳ２０２：ＹＥＳ）、ＳＩＮＲ算出部５１２は、ステップＳ１０５に進む。一方、セルラー送信信号情報の更新がない場合（ステップＳ２０２：ＮＯ）、ＳＩＮＲ算出部５１２は、ステップＳ２０４に進む。
【０１０５】
ステップＳ２０３において、ＳＩＮＲ算出部５１２は、ＬＵＴ格納部５１１から補正係数βを取得する。
【０１０６】
ステップＳ２０４において、ＳＩＮＲ算出部５１２は、式（２−１）〜（２−５）を用いて、ＬＮＡゲインとＳＩＮＲとの対応関係を算出する。
【０１０７】
以降、実施の形態１と同様に、ゲイン調整部５１０は、ＬＮＡゲインを調整する。
【０１０８】
該当無線ＬＡＮパケットの受信完了までの間に、セルラー送信信号情報が変化する場合、ゲイン調整部５１０は、開始時調整に加えて受信中調整を実施することにより、最適なＬＮＡゲインに設定できる。しかし、無線ＬＡＮパケットの受信完了までの間のセルラー送信信号情報が変化しない場合、ゲイン調整部５１０が、受信中調整を行わなくても、無線通信装置５００は、本発明の効果を得ることができる。
【０１０９】
以上のように、本実施の形態に係る無線通信装置５００において、ゲイン調整部５１０は、ＬＮＡ２３０のゲインを調整する。具体的には、ゲイン調整部５１０は、セルラー信号の送信電力と、無線ＬＡＮ信号の受信電力と、セルラー送信信号情報と対応付けられる、ＬＮＡ２３０のゲインとＳＩＮＲとの対応関係に基づいて、ＬＮＡ２３０のゲインを調整する。ここで、セルラー送信信号情報は、セルラー送信電力の情報に加え、セルラー信号の送信モード、周波数、又は、変調モードの情報を含む。ＳＩＮＲ算出部５１２は、セルラー送信信号情報、及び、無線ＬＡＮ信号の受信電力の情報に基づいて、ＬＮＡ２３０のゲインとＳＩＮＲとの対応関係を算出する。これにより、ＳＩＮＲ算出部５１２は、セルラー信号の送信モード、周波数、又は、変調モードが妨害波レベルＰＣに与える影響を加味して、ＬＮＡ２３０のゲインとＳＩＮＲとの対応関係を算出することができる。そして、ゲイン設定部３２２は、当該対応関係に基づいて、ＬＮＡ２３０のゲインを調整する。このとき、ＬＮＡ２３０が非線形動作する場合、ゲイン調整部５１０が、上述のようにＬＮＡ２３０のゲインを調整することにより、無線通信装置５００は、消費電力の増加を抑えつつ、受信品質の劣化を抑制することができる。
【０１１０】
なお、図１６は、本実施の形態に係る無線通信装置の構成の別の一例を示すブロック図である。図１６において、図１３と共通する構成部分には、図１３と同一の符号を付して説明を省略する。図１６の無線通信装置５００Ａは、図１３の無線通信装置５００に対して、ゲイン調整部５１０に代えて、ゲイン調整部５１０Ａを有し、所望波レベル推定部３１０を削除した構成を採る。
【０１１１】
ゲイン調整部５１０Ａは、ＬＵＴ格納部５１１、ＳＩＮＲ算出部５１２Ａ及びゲイン設定部３２２を有する。
【０１１２】
ＳＩＮＲ算出部５１２Ａは、所望波レベルＰＤとして、予め設定された値を用いて、妨害波レベルＰＣの変化にのみ基づいて、ＬＮＡ２３０のゲインとＳＩＮＲとの対応関係を算出する。無線通信装置５００Ａは、所望波レベルが変動しない伝搬路状況での使用が想定される場合に好適である。
【０１１３】
また、図１７は、本実施の形態に係る無線通信装置の構成の更に別の一例を示すブロック図である。図１７において、図１１及び図１３と共通する構成部分には、図１１及び図１３と同一の符号を付して説明を省略する。図１７の無線通信装置５００Ｂは、図１１の無線通信装置１００Ｆに対して、セルラー送信回路４００及びゲイン調整部３２０Ｆに代えて、セルラー送信回路４００Ａ及びゲイン調整部５１０Ｂを有する。
【０１１４】
ゲイン調整部５１０Ｂは、ＬＵＴ格納部５１３及びゲイン設定部３２２Ｆを有する。
【０１１５】
ＬＵＴ格納部５１３は、予め、式（２−１）〜（２−５）を用いて算出された、ＬＮＡゲインとＳＩＮＲとが対応付けられたＬＵＴを格納する。ＬＵＴ格納部５１３が格納するＬＵＴは、図１２と同様のため、図示を省略する。
【０１１６】
ＬＵＴ格納部５１３は、所望波レベルＰＤ及び妨害波レベルＰＣごとに、ＬＮＡゲインとＳＩＮＲとの対応関係を格納している。そして、ＬＵＴ格納部５１３は、所望波レベルＰＤ及び妨害波レベルＰＣに応じた対応関係を、ゲイン設定部３２２Ｆに提供する。
【０１１７】
そして、ゲイン設定部３２２Ｆは、当該対応関係から、ＳＩＮＲが良好なＬＮＡゲインを決定する。
【０１１８】
このようにして、無線通信装置５００Ｂにおいて、ＬＵＴ格納部５１３は、所望波レベルＰＤ及び妨害波レベルＰＣごとに、ＬＮＡゲインとＳＩＮＲとの対応関係を格納する。そのため、無線通信装置５００Ｂは、当該対応関係を算出するのに要する時間を省くことができるので、ＬＮＡゲイン調整完了までの時間を短縮することができる。
【０１１９】
（実施の形態３）
図１８は、本発明の実施の形態に係る無線通信装置の構成の一例を示すブロック図である。なお、図１８において、図１と共通する構成部分には、図１と同一の符号を付して説明を省略する。図１８の無線通信装置６００は、図１の無線通信装置１００に対して、ゲイン調整部３２０に代えて、ゲイン調整部６２０を有し、パワー検出器６１０を更に追加した構成を採る。
【０１２０】
パワー検出器６１０は、セルラー信号の送信電力を検出し、検出結果を、セルラー送信電力情報として、ゲイン調整部６２０に出力する。なお、パワー検出器６１０は、セルラー送信回路４００内に配置されていてもよい。
【０１２１】
ゲイン調整部６２０は、ＳＩＮＲ算出部６２１及びゲイン設定部３２２を有する。
【０１２２】
ＳＩＮＲ算出部６２１には、パワー検出部６１０からセルラー送信電力情報が入力される。ＳＩＮＲ算出部６２１は、セルラー送信電力情報を用いて、実施の形態１と同様に、ＬＮＡ２３０のゲインとＳＩＮＲとの対応関係を算出する。ただし、ＳＩＮＲ算出部６２１は、セルラー送信電力情報を用いて、セルラー妨害波レベルＰＣを算出して、ＬＮＡ２３０のゲインとＳＩＮＲとの対応関係を算出する必要がある。
【０１２３】
なお、本実施の形態におけるＬＮＡゲインの調整処理は、実施の形態１と同様のため、説明を省略する。
【０１２４】
以上のように、本実施の形態に係る無線通信装置６００において、パワー検出器６１０は、セルラー信号の送信電力を検出する。ＳＩＮＲ算出部６２１は、セルラー送信電力情報として、パワー検出器６１０の検出結果を用いて、ＬＮＡ２３０のゲインとＳＩＮＲとの対応関係を算出する。このとき、ＬＮＡ２３０が非線形動作する場合、ゲイン調整部６２０が、上述のようにＬＮＡ２３０のゲインを調整することにより、無線通信装置６００は、消費電力の増加を抑えつつ、受信品質の劣化を抑制することができる。
【０１２５】
（実施の形態４）
図１９は、本発明の実施の形態に係る無線通信装置の構成の一例を示すブロック図である。なお、図１９において、図１と共通する構成部分には、図１と同一の符号を付して説明を省略する。図１９の無線通信装置７００は、図１の無線通信装置１００に対して、ゲイン調整部３２０に代えて、ゲイン調整部７３０を有し、電池７１０及び電流計７２０を有する。なお、電池７１０及び電流計７２０は、セルラー送信回路４００内に配置されていてもよい。
【０１２６】
電池７１０は、電流計７２０を介して、セルラー送信回路４００の信号処理部４１０、ＤＡＣ４２０、アナログベースバンド回路４３０、及びＲＦ信号生成回路４４０に電源電圧を供給する。
【０１２７】
電流計７２０は、電池７１０からセルラー送信回路４００に流れる電流値を測定し、測定結果を、セルラー電池端電流情報として、ゲイン調整部７３０に出力する。
【０１２８】
ゲイン調整部７３０は、ＳＩＮＲ算出部７３１及びゲイン設定部３２２を有する。
【０１２９】
ＳＩＮＲ算出部７３１には、電流計７２０からセルラー電池端電流情報が入力される。ＳＩＮＲ算出部７３１は、セルラー電池端電流情報を用いて、セルラー送信電力を推定し、以降、実施の形態１と同様に、ＬＮＡ２３０のゲインとＳＩＮＲとの対応関係を算出する。セルラー送信電力が大きくなるにしたがって、セルラー電池端電流は、大きくなる。そのため、ＳＩＮＲ算出部７３１は、この関係性を用いて、セルラー電池端電流情報からセルラー妨害波レベルＰＣを算出することができる。
【０１３０】
以上のように、本実施の形態に係る無線通信装置７００において、電流計７２０は、電池７１０からセルラー送信回路４００に流れる電流値を測定し、測定結果をセルラー電池端電流情報として、ＳＩＮＲ算出部７３１に出力する。ＳＩＮＲ算出部７３１は、セルラー送信電力情報として、セルラー電池端電流情報を用いて、ＬＮＡ２３０のゲインとＳＩＮＲとの対応関係を算出する。このとき、ＬＮＡ２３０が非線形動作する場合、ゲイン調整部７３０が、上述のようにＬＮＡ２３０のゲインを調整することにより、無線通信装置７００は、消費電力の増加を抑えつつ、受信品質の劣化を抑制することができる。
【０１３１】
以上のように本実施の形態に係る無線通信装置は、第１の無線方式で変調された第１変調信号を送信する送信回路と、第２の無線方式で変調された第２変調信号を増幅する増幅部を有する受信回路と、前記増幅部が、前記第２変調信号に加え前記第１の変調信号を増幅する場合に、前記第１変調信号の送信電力及び前記第２変調信号の受信電力と対応付けられる、前記増幅部のゲインとＳＩＮＲとの対応関係に基づいて、前記増幅部のゲインを調整する調整部と、を具備するものである。
【０１３２】
これにより本実施の形態は、消費電力の増加を抑えつつ、最も高いＳＩＮＲで通信を行うことができる。つまり、本実施の形態は、最も高いＳＩＮＲで通信を行うことにより、受信品質の劣化を抑制することができる。
【０１３３】
なお、以上の説明では、第１及び第２の無線方式（無線システム）が、無線ＬＡＮシステム及びセルラーシステムの場合について説明した。しかし、この組み合わせ以外に対しても、本発明は、適用できる。
【０１３４】
また、ゲイン調整部は、無線ＬＡＮ受信回路と共通のＬＳＩ（Large Scale Integration）に配置されてもよいし、セルラー送信回路と共通のＬＳＩに配置されてもよい。
【産業上の利用可能性】
【０１３５】
本発明に係る無線通信装置は、複数の無線方式に対応する無線通信装置等として有用である。
【符号の説明】
【０１３６】
１００、１００Ａ、１００Ｂ、１００Ｃ、１００Ｄ、１００Ｅ、１００Ｆ、５００、５００Ａ、５００Ｂ、６００、７００  無線通信装置
２００、２００Ａ、２００Ｂ、２００Ｃ、２００Ｄ  無線ＬＡＮ受信回路
２１０、４５０  アンテナ
２２０  ＢＰＦ
２３０  ＬＮＡ
２４０、２４０Ｄ  直交変換部
２４１  局部発振器
２４２  ミキサ
２４３、２４３Ａ、２４３Ｄ  アナログベースバンド回路
２５０  ＡＤＣ
２６０  信号処理部
３１０  所望波レベル推定部
３２０、３２０Ａ、３２０Ｂ、３２０Ｃ、３２０Ｄ、３２０Ｅ、３２０Ｆ、５１０、５１０Ａ、５１０Ｂ、６２０、７３０  ゲイン調整部
３２１、３２１Ｂ、３２１Ｃ、３２１Ｄ、３２１Ｅ、５１２、５１２Ａ、６２１、７３１  ＳＩＮＲ算出部
３２２、３２２Ａ、３２２Ｆ  ゲイン設定部
３２３、５１１、５１３  ＬＵＴ格納部
４００、４００Ａ  セルラー送信回路
４１０、４１０Ａ  信号処理部
４２０  ＤＡＣ
４３０  アナログベースバンド回路
４４０  ＲＦ信号生成回路
【図１】
2012191533.tif 000005
【図２】
2012191533.tif 000006
【図３】
2012191533.tif 000007
【図４】
2012191533.tif 000008
【図５】
2012191533.tif 000009
【図６】
2012191533.tif 000010
【図７】
2012191533.tif 000011
【図８】
2012191533.tif 000012
【図９】
2012191533.tif 000013
【図１０】
2012191533.tif 000014
【図１１】
2012191533.tif 000015
【図１２】
2012191533.tif 000016
【図１３】
2012191533.tif 000017
【図１４】
2012191533.tif 000018
【図１５】
2012191533.tif 000019
【図１６】
2012191533.tif 000020
【図１７】
2012191533.tif 000021
【図１８】
2012191533.tif 000022
【図１９】
2012191533.tif 000023